(57)【要約】【課題】パーキンソン病の疾患において血中のエルドーパ濃度を一定範囲内に保つことが肝要である。これが出来れば患者の固縮など疾病の現象を抑えることが出来る。非侵襲的な血中エルドーパ濃度のモニターリング方法の実現が課題である。【解決手段】本発明はパーキンソン病患者の汗成分中にエルドーパが含まれ、この汗中濃度は血中濃度と一次比例関係にあることを発見したので、パーキンソン病患者の汗中のエルドーパを前処理で濃縮し、次いで分離手段により汗中濃度を測定し、エルドーパの汗中濃度と血中濃度の関係の検量線を用いて、被験者の血中濃度を算定する方法により、パーキンソン病患者の治療の改善を図る手段を提供する。【選択図】図２
2015064326.tif 000002
【特許請求の範囲】
【請求項１】
パーキンソン病患者の汗成分中の治療薬を前処理濃縮後分離分析手段にて測定し、該治療薬の汗中濃度は血中濃度と一次比例関係を用いて、汗中濃度より被検者の血中濃度を算定することにより病態管理することを特徴とするパーキンソン病治療薬モニターリングのための血中薬剤濃度管理方法。
【請求項２】
汗試料の液体クロマトグラフあるいは液体クロマトグラフ／質量分析計による測定から得られたエルドーパ濃度を測定し、あらかじめパーキンソン病疾患から得られた血中薬剤濃度と汗中薬剤濃度の検量線を用いて血中薬剤濃度を算定しパーキンソン病の薬剤濃度であるエルドーパ濃度を算出するこれにより病態管理することを特徴とする請求項１記載のパーキンソン病治療薬モニターリングのための血中薬剤濃度管理方法。
【請求項３】
汗試料の液体クロマトグラフ／質量分析計あるいはガスクロマトグラフ／質量分析計による測定から得られたフラグメントデーターに、あらかじめパーキンソン病疾患から得られた統計処理を加えてパーキンソン病の薬剤濃度すなわち主としてエルドーパ濃度を算出し、これにより病態管理を実施することを特徴とする請求項１記載のパーキンソン病治療薬モニターリングのための血中薬剤濃度管理方法。
【発明の詳細な説明】
【技術分野】
【０００１】  本発明は、パーキンソン病の治療薬の投与量をコントロールするために、汗の成分を分離測定装置により測定しモニターリングすることにより、パーキンソン病の病態のモニターリングを適正に行い、パーキンソ病により阻害される神経系の作動を適正に行なうための方法に関する。
【背景技術】
【０００２】  パーキンソン病疾患は神経系伝達物質のドーパミンの産生の不具合により主として生じている。そのために脳内のドーパンミンの不足により劇的に体が固まるなどの症状が出る。しかしながらドーパミンは薬剤として投与しても脳関門により脳まで達することが出来ない。
このため脳関門を通過できるドーパミンの前駆物質であるエルドーパが薬剤として用いられる。薬剤としてはドーパミンの他に、ドーパミンの産生を促す薬剤（例えば塩酸アマタジン）や、ノルアドレナリンを増やす薬剤や抗コリン薬等も用いられる。これらの薬剤の血中濃度の管理が非常にパーキンソン病疾患において重要である。
現状のパーキンソン病の治療薬は、エルドーパ（ｌ−ｄｏｐａ）を主剤とする複数の薬剤が用いられており、これら薬剤によりドーパミンの産生に異常をきたした患者の神経系統の機能保持がなされている。血中のエルドーパ濃度はパーキンソン病患者にとっては非常に大切な濃度であるが、この定量は一般化されておらず特定の分析センターのみで実施されている。
上記に定義するパーキンソン病とは、黒質緻密層ドーパミン神経細胞の変性を主病変とし、緩徐進行性に運動４徴候（安静時振戦、固縮、運動緩慢および無動、姿勢反射障害）を発現する特発性、進行性の疾患であり、通常孤発性で、家族発症例は約５％程度である。日本における有病率は人口１０万人に対して１１０人程度、欧米白人の有病率はわが国の約１．５〜２．５倍と高いと言われている。また、発症年齢は５０歳代後半から６０歳代にかけての年齢が最も多く、２０歳代から８０歳代まで幅広く見られ、しかしながら早期診断に用いる疾病マーカーが確立されておらず、発症して５０％疾病が進行して治療が開始される状態である。【０００３】  従来、汗中には化学成分が存在することは認められてきており、汗の採集法については、本出願人による指からの採集方法〈特許文献１および２〉が提案されている。指先からの汗の回収によりコーヒーを摂取したときの汗中カフェインの変化が示されている（特許文献１）。また汗を指の第二関節から指先までを含めて噴霧による回収方法により汗中のグルコースを定量し、このグルコース濃度が血中グルコースの濃度との関係が示されている（特許文献２）。  しかしながらこれらの薬剤  カフェインやグルコースは科学的に安定な薬効成分であるが、エルドーパのような非常に壊れやすい薬剤に関しての報告はこれまでにない。【０００４】  またこれまで汗中成分の疾病との関連において、指先からの汗の回収による汗中のナトリウム／カリウム比について、多汗症の治療の指標として有効であることが示された。（非特許文献１）。また。塩素イオンと慢性肝疾患との関連がハイリスクグループにおいて約５０％の確立で見いだすことが出来る（非特許文献２）。しかしながらこれまでパーキンソン病に関する汗中薬剤成分の測定は実施されていない。【０００５】  汗中の化学成分濃度を測定するためには、測定する体の皮膚表面の汗を水溶液に触れさせて集める。この時の用いた皮膚表面の発汗量は人の左右対称性を利用して反対の皮膚表面箇所の発汗量を測定して用いる。すなわち左の手のひらの発汗量は右のひらの発汗量の測定により求められる（非特許文献３）。
汗は血液に比べて夾雑物が少なく汗中の化合物の測定は血液に比べて前処理が簡単でかつ測定が容易になる。【０００６】    パーキンソン病の臨床的な有効なマーカーが現在見出されていないために、多くのパーキンソン病患者が５０％の進行状態で初めて治療が開始される状態にあり、治療薬としてパーキンソン病での産生阻害が生じるエルードーパ成分の補給は、疾患患者にとっては疾患状態を緩和する唯一の方法であり、この薬剤の投与により血中濃度の維持がもっと重要であり、このモニターリングが非侵襲的に実施できることが課題である。
【先行技術文献】
【特許文献】
【０００７】
【特許文献１】特許公開  ２０００−２８７９４２号公報
【特許文献２】特許公開  ２００３−３１５３４０号公報
【非特許文献】
【０００８】
【非特許文献１】Ｙｕｉｃｈｉｒｏ  Ｏｈｓｈｉｍａ，Ｈｉｒｏｋａｚｕ  Ｓｈｉｍｉｚｕ，Ｔａｋｅｓｈｉ  Ｙａｎａｇｉｓｈｉｔａ，Ｄａｉｓｕｋｅ  Ｗａｔａｎａｂｅ，Ｙａｓｕｈｉｋｏ  Ｔａｍａｄａ，Ｊｕｎｉｃｈｉ  Ｓｕｇｅｎｏｙａ，Ｔａｋａｏ  Ｔｓｕｄａ，Ｙｏｓｈｉｎａｒｉ  Ｍａｔｓｕｍｏｔｏ，Ａｒｃｈ  Ｄｅｒｍａｔｏｌ  Ｒｅｓ  ３００，５９５−６００（２００２）．
【非特許文献２】Ｎａｒｕｓｅ  Ｓ，Ｉｓｈｉｇｕｒｏ  Ｈ，Ｓｕｚｕｋｉ  Ｙ，Ｆｕｊｉｋｉ  Ｋ，Ｍｉｚｕｎｏ  Ｎ，Ｔａｋｅｍｕｒａ  Ｔ，Ｙａｍａｍｏｔｏ  Ａ，Ｙｏｓｈｉｋａｗａ  Ｔ，Ｊｉｎ  Ｃ，Ｓｕｚｕｋｉ  Ｒ，Ｋｉｔａｇａｗａ  Ｍ，Ｔｓｕｄａ  Ｔ，Ｋｏｎｄｏ  Ｔ，Ｈａｙａｋａｗａ  Ｔ，Ｐａｎｃｒｅａｓ，２００４  Ａｐｒ．２８（３）：ｅ８０−５．
【非特許文献３】Ｔａｋａｏ  Ｔｓｕｄａ，Ｓｈｉｎｙａ  Ｋｉｔａｇａｗａ，Ｔｏｒｕ  Ｍｏｒｉｓｈｉｔａ，Ｂｉｏｍｅｄ．Ｃｈｒｏｍａｔｏｇｒ．，１４，５０５−５１０（２０００）．
【発明の概要】
【発明が解決しようとする課題】
【０００９】    パーキンソン病の疾患において薬剤の血中濃度を一定範囲内に保つことが肝要である。これが出来れば患者の動作を保つことが出来る。このためには現状では血液の採取により薬剤の血中濃度を測定することにより可能であるが、この測定さえ測定法が難しく実施できるのは特定の分析センターのみである。非侵襲的に薬物の血中濃度のモニターリング方法の実現が課題である。
【課題を解決するための手段】
【００１０】  パーキンソン病患者の薬剤の血中濃度を知るために、ヒトの体の皮膚表面の一部を覆い、覆われた部分の汗のサンプリングを行い、捕集した汗を分離分析し、汗中の薬剤成分濃度を計測し、あらかじめ求められた検量線を用いて血中濃度を算定しパーキンソン病の病態に必要な薬剤濃度を管理することを特徴とするパーキンソン病の病態管理方法を提供する。
すなわち、本発明はパーキンソン病患者の汗成分中に薬物成分が含まれ、この汗中濃度は血中濃度と一次比例関係にあることを見出したので、パーキンソン病患者の汗中の薬物成分濃度を測定して血中濃度を推定しパーキンソン病患者の病態の改善を図る手段を提供する。汗は血液に比べて夾雑物が少なく汗中の化合物の測定は血液に比べて前処理が簡単でかつ分離測定が容易になるので、パーキンソン病において発汗中の薬物濃度が血中濃度と相関が見出せれば、非侵襲的に血中濃度が算定で血液よりより簡便に実現できる。【００１１】  パーキンソン病の薬剤濃度を管理するために、手のひらの皮膚表面あるいは手の指の皮膚表面あるいは腕の皮膚表面あるいは腹部の皮膚表面あるいは背中の皮膚表面等の一部を覆い、その汗のサンプリングを行い、捕集した汗を前濃縮後に液体クロマトグラフあるいは液体クロマトグラフ／質量分析計（ＬＣ／ＭＳ）またはガスクロマトグラフ（ＧＣ／ＭＳ）により分離分析し、パーキンソン病の患者に投与され汗中に拍出した薬剤濃度を計測し、あらかじめ求められた検量線を用いてパーキンソン病の病態に必要な被験者の血中濃度を算定して疾病の病態管理を実施する。【００１２】  測定方法は、汗を捕集し、これを前処理に供して汎用される薬剤成分エルドーパ成分のみを濃縮し、次いで液体クロマトグラフを用いて測定を行い、汗中の薬剤成分のエルドーパ濃度を得た。あらかじめ求めた血中濃度と汗中濃度の検量線を用いて、前記求められた汗中薬剤濃度すなわち主としてエルドーパ濃度よりパーキンソン病患者の血中濃度を算定し、それら濃度からパーキンソン病患者の血中薬剤濃度管理を実施する。【００１３】  または、汗試料の液体クロマトグラフ／質量分析計（ＬＣ／ＭＳ）あるいはガスクロマトグラフ／質量分析計による測定から得られた薬剤エルドーパ濃度を測定し、あらかじめパーキンソン病疾患から得られた血中薬剤濃度と汗中薬剤濃度の検量線を用いて血中薬剤濃度を算定しパーキンソン病の薬剤濃度すなわち主としてエルドーパ濃度を算出することにより病態管理を実施する。
または、汗試料の液体クロマトグラフ／質量分析計による測定から得られたフラグメントデーターに、あらかじめパーキンソン病疾患から得られた統計処理を加えてパーキンソン病の薬剤濃度すなわち主としてエルドーパ濃度を算出し、これにより病態管理を実施する。【００１４】  パーキンソン病の主要な薬剤としてエルドーパが用いられており、汗中のエルドーパの測定されたクロマトグラムを図１に示す。図１に示されるようにエルドーパがピークとして測定されている。また図２に汗中濃度と血中濃度の検量線を示す。認められるように汗中濃度と血中濃度の一時相関関係が明瞭に示されている。この汗中濃度と血中濃度の関係を汗中濃度から血中濃度を算定する検量線として用いることができる。【００１５】  パーキンソン病疾患に主として用いられる薬剤エルドーパの汗中成分よりの前処理にはモノスピンカラム（ＧＬサイエンス製）を用いる。【００１６】  パーキンソン病疾患は神経系伝達物質のドーパミンの産生の不具合により主として生じている。そのために脳内のドーパンミンの不足により劇的に体が固まるなどの症状が出る。しかしながらドーパミンは薬剤と投与しても脳関門により脳まで達することが出来ない。このため脳関門を通過できるドーパミンの前駆物質であるエルドーパが薬剤として用いられる。薬剤としてはドーパミンの産生を促す薬剤（例えば塩酸アマタジン）や、ノルアドレナリンを増やす薬剤や抗コリン役も用いられる。これらの薬剤の血中濃度の管理が非常にパーキンソン病疾患において重要である。
パーキンソン病に用いられる薬剤としてエルドーパ成分を主に記述したが、この薬剤成分以外にも本発明は適用できるので、エルドーパ薬剤に本発明は制限されるものではない。
【発明の効果】
【００１７】  パーキンソン病の疾患において血中の薬剤濃度を一定範囲内に保つことが肝要である。これが出来れば患者の動作を保つことが出来る。このためには現状では血液により血中薬剤濃度を測定することにより可能であるが、この測定さえ測定法が難しく実施できるのは特定の分析センターのみである。非侵襲的に血中薬剤濃度の計測方法を確立し、モニターリング方法を実現した。本発明によりパーキンソン病の病態管理が容易になり、パーキンソン病患者の症状の改善に貢献できる。【００１８】  パーキンソン病患者の薬剤の血中濃度を知るために、ヒトの体の皮膚表目の一部を覆い、覆われた部分の汗のサンプリングを行い、捕集した汗を分離分析し、汗中の薬剤成分濃度を計測し、あらかじめ求められた検量線を用いて血中濃度を算定しパーキンソン病の病態に必要な薬剤濃度を管理することを特徴とするパーキンソン病の病態管理方法であり、きわめて非侵襲的な手法により実施できるので、容易にパーキンソン病患者には適用できる。【００１９】  測定方法は、汗を捕集し、これを前処理に供してエルドーパ成分のみを濃縮し、次いで分離手段を用いて測定を行い、汗中の薬剤成分のエルドーパ濃度を得た。あらかじめ求めた血中濃度と汗中濃度の検量線を用いて、前記求められた汗中薬剤濃度すなわち主としてエルドーパ濃度よりパーキンソン病患者の血中濃度を算定し、それら濃度からパーキンソン病患者の薬剤濃度管理を実施するので、医療測定機器の産業に貢献できる。【００２０】  以上説明したように本発明は、ひと肌から拍出される汗を捕集して、分離手段を用いて皮膚ガス中に含まれる化学物質の濃度を定量し，その化学物質の濃度と血中の当該物質の濃度との間の相互関係を見出し、その相互関係を検量線として汗中の濃度から血中濃度を算定し、非常に治療の困難な難病であるパーキンソン病疾患の病態管理に貢献できる。合わせて前処理や測定機器の関連製造産業に貢献できる。
【図面の簡単な説明】
【００２１】
【図１】  パーキンソン患者の汗の液体クロマトグラフにより得られたクロマトグラムで、汗中に存在する薬剤成分エルドーパ（ｌ−ｄｏｐａ）が主要なピークとして得られていることを示した図である。
【図２】  汗中エルドーパ薬剤濃度と血中薬剤濃度についてパーキンソ病患者から得られた相関関係を示した図で、示された一次関係は薬剤の汗中縫度から血中濃度を求める検量線として用いられることを示した図である。
【発明を実施するための形態】
【００２２】  本発明はパーキンソン病患者の汗中の化学成分としてパーキンソン病薬剤が含まれ、この汗中濃度は血中濃度と一次比例関係にあることを発見したので、パーキンソン病患者の汗中薬剤濃度を測定して血中濃度を算定しパーキンソン病患者の病態の改善を図ることを非侵襲的な手段で実施した。
【００２３】  パーキンソン病患者の薬剤の血中濃度を知るために、ヒトの体の皮膚表目の一部を覆い、覆われた部分の汗のサンプリングを行い、捕集した汗を分離分析し、汗中の薬剤成分濃度を計測し、あらかじめ求められた検量線を用いて血中濃度を算定しパーキンソン病の病態に必要な薬剤濃度を管理する。
測定方法は、汗を捕集し、これを前処理に供して薬剤の主要成分であるエルドーパのみを濃縮し、次いで液体クロマトグラフを用いて測定を行い、汗中の薬剤成分のエルドーパ濃度を得た。ついで、あらかじめ求めた血中濃度と汗中濃度の検量線を用いて、求められた汗中薬剤濃度から主としてエルドーパ濃度についてパーキンソン病患者の血中濃度を算定した。
【００２４】  パーキンソン病の薬剤濃度を管理するために、手のひらの皮膚表面あるいは手の指の皮膚表面あるいは腕の皮膚表面あるいは腹部の皮膚表面あるいは背中の皮膚表面等の一部を覆い、その汗のサンプリングを行い、捕集した汗を前濃縮後に液体クロマトグラフあるいは液体クロマトグラフ／質量分析計またはガスクロマトグラフ／質量分析計により分離分析し、パーキンソン病の疾患に投与される薬剤濃度を計測し、あらかじめ求められた検量線を用いてパーキンソン病の病態に必要な被験者の血中濃度を算定して実施した。
【００２５】  または、汗試料の液体クロマトグラフ／質量分析計による測定から得られたエルドーパ濃度を測定し、あらかじめパーキンソン病疾患から得られた血中薬剤濃度と汗中薬剤濃度の検量線を用いて血中薬剤濃度を算定しパーキンソン病の薬剤濃度すなわち主としてエルドーパ濃度を算出する。これにより病態管理を実施した。
または、汗試料の液体クロマトグラフ／質量分析計による測定から得られたフラグメントデーターと、あらかじめパーキンソン病疾患に投与された薬剤量との関連を統計処理により求め、パーキンソン病の血中薬剤濃度すなわち主として血中エルドーパ濃度を算出し、これにより病態管理を実施した。
【００２６】  パーキンソン病の薬剤として主としてエルドーパが用いられており、汗中のエルドーパの液体クロマトグラフにより測定されたクロマトグラムを図１に示す。図１に示されるようにエルドーパがピークとして測定されている。また図２に汗中濃度と血中濃度の検量線を示す。認められるように汗中濃度と血中濃度の関係が明瞭に示されている。この汗中濃度と血中濃度の関係を汗中濃度から血中濃度を算定する検量線として用いることができる。図２の一つの○はパーキンソン病患者さん一人に相当しるので、図２の関係は多数の患者さんのデーターより作成している。
【００２７】  パーキンソン病疾患に主として用いられる薬剤エルドーパの汗中成分よりの前処理にはモノスピンカラム（ＧＬサイエンス製）を用いる。
【００２８】パーキンソン病疾患は神経系伝達物質のエルドーパの産生の不具合により主として生じている。そのために血中エルドーパ濃度が不足すると劇的に体が固まるなどの症状が出る。このために薬剤の管理が非常にパーキンソン病疾患において重要である。
パーキンソン病に用いられる薬剤としてエルドーパ成分を主に記述したが、この薬剤成分以外にも本発明は適用できるので、エルドーパ薬剤に本発明は制限されるものではない。
【００２９】  発明を実施する一つの形態として、次の測定手順を用いて汗中に薬剤であるエルドーパの濃度を捕集する。
測定手順は、まず人の皮膚表面を覆い、皮膚ガスを捕集する。例えば、手についてはポリエチレン製のシャーレ（内径  ４０ｍｍ）に１０％エタノール水溶液を２ｍｌ入れ、シャーレの上部に手のひらを当てて、密閉を保ちながら裏返し、手のひらに１０％エタノール水溶液を接触させ、この状態を１０分間保った。ついで手のひらを再び裏返し最初の状態にし、手よりシャーレを離しシャーレの中に水溶液を回収した。本水溶液は１０分中に手のひらから拍出した汗を含んでいる。手のひらの発汗量を、同時に反対の手を用いて発汗計（高速発汗量計測システム、ピコデバイス製）により測定する。シャーレを用いた手の発汗量は、人の身体は左右対称性を有するので反対の手の発汗量を用いて、測定している手の発汗量を算定した。
【００３０】  ついで汗成分中の薬剤に前処理を加えて濃縮する手順は次のように実施した。手のひらに当てた水溶液は薬剤を含んでいるので、この薬剤を前処理用モノスピンーリン酸処理カラム（Ｍｏｎｏ  ｓｐｉｎ  ＰＢＡ，ＧＬサイエンス製）を用いて前濃縮した。すなわち、汗サンプル溶液を２００マイクロリットルに１モルリン酸緩衝溶液（ｐＨ８．０）５０マイクロリットルを加え前記前処理カラムに注入し、ついで１分間１０，０００ｇにて遠心すると汗中の薬剤は前処理カラムに吸着されて残る。ついで０．１モルリン酸緩衝溶液（ｐＨ８．０）２００マイクロリットルをカラムに注入し、１００００ｇ遠心でカラムを洗浄する。さらに１％酢酸水溶液５０マイクロリットルを加えて、エルドーパを溶出させ、液体クロマトグラフ用サンプルとした。
【００３１】  上記サンプルを用いた液体クロマトグラフを用いて分離定量した。液体クロマトグラフの分離条件は次のようにした。カラムはＣ１８逆相分析カラム（イナートシル  ＯＤＳ−４カラム、カラムサイズ  カラム長  ２５０ｍｍ、内径  ３．０ｍｍ、充填剤粒径  ５マイクロメートル、ＧＬサイエンス製）を用い、溶離液として２０ｍＭ酢酸ナトリウムークエン酸緩衝液とアセトニトリルを１００：５で混合しさらにオクタンスルホン酸ナトリウム塩を０．１％添加して用いた。検出器としては電位科学技術交流財団検出器（ＥＤ７０３，ＧＬサイエンス）を用いた。この様な分離条件で得られたころマトグラムを図１に示した。図１においてエルドーパが主要なピークとして認められる。
【００３２】  汗の採取に手順の一例をより詳しく説明する。汗は手のひらから採取するとき、まずプラスチックシャーレに２ｍｌの蒸留水を入れ、この口に上から手のひらを押し付けて、次いで掌を１８０度回転して手のひらを上側に向ける。この動作は被検者を椅子に座らせて、検査委員が実施する。この状態を１０分間保つ。その間手の指に指プローブ（特許文献１）を装着し、この指プローブに一定速度で乾燥空気を送風し、指プローブを通過後の湿度と測り、湿度と風量から発汗量を算出した。この発汗量を用いてあらかじめ確立した倍率を用いて、手のひらの発汗量を求めた。すなわち１０分間に水溶液２ｍｌ中に含まれる汗の量が計算できた。この汗を含んだ水溶液をモノスピン−リン酸処理カラムにより前処理を行い、次いで分離分析手段にかけた。すなわち液体クロマトグラフあるいは液体クロマトグラフ／質量分析計あるいはガスクロマトグラフ／質量分析計を用いて分離分析した。この様にして多種類の汗中化学物質の濃度が得られる。すなわちパーキンソン病の主な治療薬エルドーパの濃度が得られる。汗中薬剤濃度はあらかじめ測定された検量線を用いてパーキンソン病の疾患の血中濃度の算定できる。この様にして得られたパーキンソン病患者の汗中濃度と血中濃度の関連を図２に示した。
【００３３】  ここで、パーキンソン病についての実験結果を説明すると、図１で得られた汗中エルドーパ濃度を図２の横軸のところから一次式を用いて血中濃度を求める。この血中濃度の値より、その時の血中濃度が分かるので、薬剤の投与量が適切か判断できる。
【００３４】  汗試料のクロマトグラフ／質量分析計による測定から得られたフラグメントデーターと、あらかじめパーキンソン病患者の血中薬剤濃度との関連を統計処理用いて算出した。
得られた関係式は、
2015064326.tif 000003
でＹは血中薬物濃度であり、ａは係数、ｘはフラグメントが示す質量ごとのカウント数を用いる。ここでカウント数とはその特定の質量を持ったフラグメントの強度を示す。
上記方法をある被験者に適用した。すなわち汗サンプルを採集し、クロマトグラフ／質量分析計による測定を実施しフラグメントデータ（質量数に対応した強度）を得え、次いで関係式を用いたところ、血中薬物濃度は±１０％の誤差でできた。
【００３５】  以上パーキンソン病疾病の重要な薬剤であるエルドーパについて、汗中のエルドーパ濃度の測定から、血中のエルドーパ縫度の算定が出来ることを示した。
【００３６】  非侵襲的な方法でパーキンソン病の一番効果のある薬剤について、血中濃度を皮膚上の汗より算定することを示したが、汗中にはいろいろな薬剤が拍出するので、パー金素の病に用いられるその他の薬剤についても同じ方法で適用できる。
【産業上の利用可能性】
【００３７】  本発明は、医療現場での利用が出来れば、パーキンソン病の治療の非侵襲的な血中濃度の算定が出来るので、患者さんのパーキンソン病により発現する症状を緩和することに役に立てる。本方法の開始により人々の健康の維持の大きな効果が期待できるので、本発明を実施する検査機関の確立などの医療産業に効果をもたらす。またパーキンソン病の治療の患者の負担軽減に役に立ち、産業的には汗の測定に用いたクロマトグラフ装置を使用をしていることより分析機器産業や医療産業に貢献する。
【図１】
2015064326.tif 000004
【図２】
2015064326.tif 000005